(57)【要約】【課題】ベルトの張力確認及びベルトの交換を容易かつ短時間で行うことが可能な遠心機を提供する。【解決手段】フレームは、上フレーム２Ａと底部をなすベース２Ｂとを有する。ベース２Ｂには、３つの第１〜３開口部２ｃ〜２ｅが形成されている。モータ６の図示せぬ出力軸の下端に固定された図示せぬ第１プーリは、第１開口部２ｃと対向し、シャフトユニット７の図示せぬシャフト７Ｂの下端に固定された図示せぬ第２プーリは、第２開口部２ｄに対向している。更に、ベルト８Ａの第１プーリ及び第２プーリの略中央部に相当する部分は、第３開口部２ｅと対向している。【選択図】図２
2007075727.tif 000002
【特許請求の範囲】
【請求項１】
外枠を構成し、底部を有するフレームと、
該フレーム内に配置され該フレームに固定支持されてロータ室を画成するボウルと、
該ボウル内外に延び、該ボウル内に位置する一端と該ボウル外に位置し該底部に近接対向する他端とを有し、該一端側にロータを装着して該ロータを該ロータ室内で回転させる回転軸と、
該ボウルの一側面側に配置され、駆動力を発生するモータと、
該モータの駆動力を出力するために該モータから延設され、該底部に近接対向する出力軸と、
該回転軸の他端及び該出力軸に装着され、該モータの駆動力を該回転軸に伝達するベルトと、を備えた遠心機において、
該底部の該ベルトに対向する部分には、開口部が形成されていることを特徴とする遠心機。
【請求項２】
該開口部は、該回転軸の他端に対向する部分に形成された第１開口部と、該出力軸に対向する部分に形成された第２開口部とを有することを特徴とする請求項１に記載の遠心機。
【請求項３】
該開口部は、更に、該回転軸の他端と該出力軸との略中央部に対向する部分に形成された第３開口部を有することを特徴とする請求項２に記載の遠心機。
【請求項４】
該開口部は、該回転軸の他端と該出力軸との略中央部に対向する部分に形成されていることを特徴とする請求項１に記載の遠心機。
【請求項５】
該フレームに取付けられたダンパと、
該回転軸を回転可能に支承する軸受と、
該ダンパを介して該フレームに支持されるモータベースと、を更に備え、
該モータ及び該軸受は、該モータベースに支持されていることを特徴とする請求項１に記載の遠心機。
【請求項６】
該開口部は、該底部の該ベルト全体に対向する部分に形成されていることを特徴とする請求項１に記載の遠心機。
【発明の詳細な説明】
【技術分野】
【０００１】
本発明は、遠心分離機に関し、特に実験台等へ設置する卓上型の遠心分離機に関する。
【背景技術】
【０００２】
従来から様々な構成の遠心機が提案されている。例えば、従来の遠心機として、フレームのベースにモータベースがダンパを介して支持され、モータベース上にモータとシャフトユニットとを並べて配置し、モータベースの下側に駆動力伝達機構を配置する構造がある。そして、駆動力伝達機構のベルトにより、モータの駆動力をシャフトユニットに伝達していた（例えば、特許文献１参照）。
【特許文献１】米国特許第４０２２３７５号明細書
【発明の開示】
【発明が解決しようとする課題】
【０００３】
しかし、上記の遠心機では、ベルトの上側には、モータ、モータベース及びシャフトユニットが配置されているため、ベルトの張力の確認及びベルトの交換時には、ベルトの上側にある部品をばらす必要があるため作業が困難であり、作業に時間を要していた。
【０００４】
そこで、本発明は、ベルトの張力確認及びベルトの交換を容易かつ短時間で行うことが可能な遠心機を提供することを目的とする。
【課題を解決するための手段】
【０００５】
上記目的を達成するために、本発明は、外枠を構成し、底部を有するフレームと、該フレーム内に配置され該フレームに固定支持されてロータ室を画成するボウルと、該ボウル内外に延び、該ボウル内に位置する一端と該ボウル外に位置し該底部に近接対向する他端とを有し、該一端側にロータを装着して該ロータを該ロータ室内で回転させる回転軸と、該ボウルの一側面側に配置され、駆動力を発生するモータと、該モータの駆動力を出力するために該モータから延設され、該底部に近接対向する出力軸と、該回転軸の他端及び該出力軸に装着され、該モータの駆動力を該回転軸に伝達するベルトとを備えた遠心機において、該底部の該ベルトに対向する部分には、開口部が形成されている遠心機を提供している。
【０００６】
ここで、該開口部は、該回転軸の他端に対向する部分に形成された第１開口部と、該出力軸に対向する部分に形成された第２開口部とを有することが好ましい。
【０００７】
更に、該開口部は、更に、該回転軸の他端と該出力軸との略中央部に対向する部分に形成された第３開口部を有することが好ましい。
【０００８】
また、該開口部は、該回転軸の他端と該出力軸との略中央部に対向する部分に形成されていることが好ましい。
【０００９】
また、該フレームに取付けられたダンパと、該回転軸を回転可能に支承する軸受と、該ダンパを介して該フレームに支持されるモータベースとを更に備え、該モータ及び該軸受は、該モータベースに支持されていることが好ましい。
【００１０】
また、該開口部は、該底部の該ベルト全体に対向する部分に形成されていることが好ましい。
【発明の効果】
【００１１】
請求項１に記載の遠心機によれば、底部のベルトに対向する部分には、開口部が形成されているので、開口部を介してベルトの張力確認及び交換作業を容易かつ短時間で行うことができる。
【００１２】
請求項２に記載の遠心機によれば、開口部は、回転軸の他端に対向する部分に形成された第１開口部と、出力軸に対向する部分に形成された第２開口部とを有するので、第１、第２開口部を介してベルト交換作業を容易かつ短時間で行うことができる。
【００１３】
請求項３に記載の遠心機によれば、開口部は、更に、回転軸の他端と出力軸との略中央部に対向する部分に形成された第３開口部を有するので、第３開口部を介してベルトの張力確認を容易かつ短時間で行うことができる。
【００１４】
請求項４に記載の遠心機によれば、開口部は、回転軸の他端と出力軸との略中央部に対向する部分に形成されているので、開口部を介してベルトの張力確認を容易かつ短時間で行うことができる。
【００１５】
請求項５に記載の遠心機によれば、フレームに取付けられたダンパと、回転軸を回転可能に支承する軸受と、ダンパを介してフレームに支持されるモータベースとを更に備え、モータ及び軸受は、モータベースに支持されているので、ロータの回転により軸受、回転軸、モータベース及びモータが振動しても、ダンパにより振動を低減することができる。
【００１６】
請求項６に記載の遠心機によれば、開口部は、底部のベルト全体に対向する部分に形成されているので、開口部を介してベルトの張力確認及び交換作業を容易かつ短時間で行うことができる。
【発明を実施するための最良の形態】
【００１７】
本発明の実施の形態による遠心機について図１及び図２に基づき説明する。遠心機１は、フレーム２と、ボウル３と、複数のダンパ４（本実施の形態では３個）と、モータベース５と、モータ６と、シャフトユニット７と、駆動力伝達機構８と、ロータ９とを主に備えている。フレーム２は、遠心機１の外枠を構成し、上端が開口する箱型形状をなし、上フレーム２Ａと底部をなすベース２Ｂとを有する。上フレーム２Ａの上端開口部には、蓋１０が開閉可能に設けられている。また、図２に示すように、ベース２Ｂには、３つの第１〜３開口部２ｃ〜２ｅが形成されている。ベース２Ｂの下側には、フレーム２内と外気との連通を遮断するためのカバー１１が、第１〜３開口部２ｃ〜２ｅを塞ぐように着脱可能にネジ等によって取り付けられている。
【００１８】
ボウル３は、有底円筒形状をなし、ボウル３の底部には、シャフトユニット挿通穴３ａが形成されている。ボウル３は、フレーム２内に配置され、ボウル取付部１３を介してフレーム２に固定支持されている。また、ボウル３は、ロータ室１２を画成している。３個のダンパ４は、それぞれベース２Ｂ上に三角形をなすように配置されている。モータベース５は、下面が開口する略箱状をなし、ベース２Ｂに取付けられているダンパ４に支持されている。尚、図１では図面の簡略化のためモータベース５を板状としている。モータベース５の一部は、ボウル３に対向するように配置されている。モータベース５のボウル３に対向する部分には、シャフト貫通穴５ａが形成されている。また、モータベース５のボウル３に対向しない部分には、出力軸貫通穴５ｂが形成されている。
【００１９】
モータ６は、モータベース５上のボウル３に対向しない部分であって、ボウル３の一側面側に配置されている。また、モータ６は、出力軸貫通穴５ｂを貫通してベース２Ｂに向かって延び、モータ６の駆動力を出力する出力軸６Ａを有している。シャフトユニット７は、モータベース５上のボウル３に対向する部分に配置されている。また、シャフトユニット７は、シャフトユニット挿通穴３ａに挿通され、シャフトユニット７の上部は、ロータ室１２内に位置している。シャフトユニット７は、２つのベアリング７Ａと、ベアリング７Ａに回転可能に支承され鉛直方向に延びる駆動軸たるシャフト７Ｂとを有している。シャフト７Ｂの一端側は、ロータ室１２内に位置し、他端側は、シャフト貫通穴５ａを貫通し、モータベース５の下側に位置している。
【００２０】
駆動力伝達機構８は、ベルト８Ａ、第１プーリ８Ｂ及び第２プーリ８Ｃとを備え、モータベース５の下側に配置されている。第１プーリ８Ｂは、出力軸６Ａの下端に同軸固定され、第２プーリ８Ｃは、シャフト７Ｂの下端に同軸固定されている。ベルト８Ａは、第１プーリ８Ｂ及び第２プーリ８Ｃに装着され、駆動力伝達機構８により、モータ６の駆動力は、シャフト７Ｂに伝達される。また、第１、第２プーリ８Ｂ、８Ｃは、それぞれベース２Ｂに形成された第１、第２開口部２ｃ、２ｄと対向している。更に、ベルト８Ａの第１プーリ８Ｂ及び第２プーリ８Ｃの略中央部に相当する部分は、第３開口部２ｅと対向している。試料から被分離試料を分離するためのロータ９は、シャフト７Ｂの上端に接続され、シャフト７Ｂと共に回転可能である。
【００２１】
次に、遠心機１の動作について説明する。図示せぬスタートスイッチを押すことによって、モータ６の駆動が開始される。モータ６の駆動により出力軸６Ａが回転し、この回転はベルト８Ａを介してシャフト７Ｂに伝達される。シャフト７Ｂの回転と共にロータ９も回転し、ロータ９内の試料から被分離試料が分離する。また、ロータ９の回転によりシャフトユニット７、モータベース５及びモータ６は振動するが、ダンパ４により振動は低減される。
【００２２】
上述のように、ベース２Ｂには、第３開口部２ｅが形成され、第３開口部２ｅは、ベルト８Ａの第１プーリ８Ｂ及び第２プーリ８Ｃの略中央部に相当する部分と対向している。よって、ベルト８Ａの張力の確認時には、ベルト８Ａより上側に位置する部品をばらさずに（つまり遠心機１本体を分解することなく）、カバー１１を取り外すことにより、第３開口部２ｅを介して、ベルト８Ａの張力確認を容易に行うことができ、張力確認作業を短時間で行うことができる。なお、張力の確認は、ベルト８Ａを指ではじくことにより発生する音を音波式張力計で測定することにより行う。また、指でベルト８Ａを押さえることにより確認してもよい。更にはバネばかりを用いてある一定の力でベルトを押し（あるいは引き）、その時の変位量を確認しても良い。更に、ベース２Ｂには、第１、２開口部２ｃ、２ｄが形成され、第１、２開口部２ｃ、２ｄは、それぞれ第１、第２プーリ８Ｂ、８Ｃと対向している。よって、ベルト８Ａの交換が必要なときには、ベルト８Ａより上側に位置する部品をばらさずに（つまり遠心機１本体を分解することなく）、カバー１１を取り外すことにより、第１、２開口部２ｃ、２ｄを介して、ベルト８Ａの交換を容易に行うことができ、交換作業を短時間で行うことができる。
【００２３】
尚、本発明の遠心機１は、上述した実施の形態に限定されず、特許請求の範囲に記載した範囲で種々の変形や改良が可能である。例えば、ベース２Ｂには、三つの第１〜第３開口部２ｃ〜２ｅが形成されていたが、図３に示すように一つの開口部２ｆをベース２Ｂのベルト８Ａ全体に対向する部分に形成しても良い。かかる構成によっても、上述の効果と同様の効果を得ることができる。
【図面の簡単な説明】
【００２４】
【図１】本発明の実施の形態による遠心分離機の全体構造を示す概略図。
【図２】本発明の実施の形態による遠心分離機の分解斜視図。
【図３】本発明の実施の形態による遠心分離機の変形例の分解斜視図。
【符号の説明】
【００２５】
１  遠心機、  ２  フレーム、    ２Ｂ  ベース、    ２ｃ  第１開口部、
２ｄ  第２開口部、    ２ｅ  第３開口部、    ３  ボウル、    ６  モータ
７Ｂ  シャフト、    ８Ａ  ベルト
【図１】
2007075727.tif 000003
【図２】
2007075727.tif 000004
【図３】
2007075727.tif 000005